(57)【特許請求の範囲】
【請求項１】
表示部に設けた液晶パネルが該液晶パネルの背面に設けられるとともに一端に光源を配した導光板で照射され、上記表示部より低く形成された内部操作部と該内部操作部を開閉するように上記機器のキャビネットの上面に水平方向にスライド可能に設けられたスライド蓋にて形成された外部操作部から成る複式構造の操作部のキー操作に応じた内容を上記液晶パネルに表示する構成の機器に設けられるものであって、上記導光板の他端部に上記内部操作部を照明できるように該導光板と一体に形成されたＬ字形の延長部を設け、上記延長部の先端を、上記表示部により覆い、上記スライド蓋をスライドさせて開いた状態で、上記延長部の側面より放出する光で上記内部操作部の上面を照明するようにしたことを特徴とする機器の操作部の照明装置。
【請求項２】
表示部に設けた液晶パネルが該液晶パネルの背面に設けられるとともに一端に光源を配した導光板で照射され、上記表示部より低く形成された内部操作部と該内部操作部を開閉するように上記機器のキャビネットの上面に水平方向にスライド可能に設けられたスライド蓋にて形成された外部操作部から成る複式構造の操作部のキー操作に応じた内容を上記液晶パネルに表示する構成の機器に設けられるものであって、上記導光板の他端部に上記内部操作部を照明できるように該導光板と一体に形成されたＬ字形の延長部を設け、上記延長部の先端を、上記表示部と上記スライド蓋の上面と略同一面となるように延長させ、上記スライド蓋を閉じた状態で、上記延長部の先端より放出する光で上記外部操作部の上面を照明するようにしたことを特徴とする機器の操作部の照明装置。
【発明の詳細な説明】
【０００１】
【発明の属する技術分野】
本発明は、表示部を内蔵光源にて照射する構成を備えた携帯用端末機等の機器における操作部の照明装置に関するものである。
【０００２】
【従来の技術】
この種の照明装置の従来技術としては、特開平４−７５３２３号公報に開示されているように表示部の導光板とキーボード部の導光板を一体化したもの、特開平８−３１４５９８号公報に開示されているようにキーボード部に発光装置を設け、該発光装置の光でキーボード部のみを照射する構造としたもの、或いは特開平１０−２６８９７４号公報に開示されているようにキーボード部に発光装置を設け、該発光装置の光で表示部とキーボード部の両方を照射する構造としたものがある。
【０００３】
【発明が解決しようとする課題】
しかしながら、上記特開平４−７５３２３号公報に開示された従来の照明装置では、表示部の導光板とキーボード部の導光板を一体化しているが、発光装置を別個に設けているためコスト高になるとともに各発光装置それぞれに電力を必要とするため内蔵電池の消費量が多く動作可能時間が短くなって商品性を損ねる問題がある。
【０００４】
また、特開平８−３１４５９８号公報に開示された従来の照明装置では、上記のようにキーボード部を照射する発光装置を新たに設ける必要があるため、コスト高になるとともに製品の小型化やデザイン設計の自由度が妨げられ、更には、上記特開平４−７５３２３号公報の照明装置と同様に表示部とキーボード部の各発光装置それぞれに電力を必要とするため、内蔵電池の消費量が多く動作可能時間が短くなって商品性を損ねる問題がある。
【０００５】
また、特開平１０−２６８９７４号公報に開示された従来の照明装置では、ミラーを使用した照射角度を制御する機構を設ける必要があるため、コスト高になるとともに製品の小型化やデザイン設計の自由度が妨げられ、更には、表示部側の開閉角度が変わる度に、照射角度制御機構を適正な位置に回転させないと表示部とキーボード部に十分な光が届かない等の不具合が生じ、使用性が劣るとの問題がある。
【０００６】
【課題を解決するための手段】
本発明は上記従来の問題点に鑑みて発明されたものある。即ち、本発明の機器の操作部の照明装置は、表示部に設けた液晶パネルを該液晶パネルの背面に設けられるとともに一端に光源を配した導光板で照射し、操作部のキー操作に応じた内容を上記液晶パネルに表示する構成の機器に設けられるものであって、上記導光板の他端部を上記機器の各種キーを備えた操作部に延長して設け、該延長部より放出する光で上記操作部を照明するようにしたことを特徴とするものである。
【０００７】
この構成によれば、光源より発せられた光は導光板を経て液晶パネルの背面を照射するとともに延長部より操作部を照明することになる。
【０００８】
従って、一つの光源で導光板と操作部を照射することができ、消費電力を抑制することができるとともに製品の小型化やデザイン設計の自由度が図れる。
【０００９】
さらに本発明の機器の操作部の照明装置は、上記延長部は上記表示部と操作部の境界に上記導光板を延長して設けられたものであることを特徴とするものである。
【００１０】
この構成によれば、光源より発せられた光は導光板を経て液晶パネルの背面を照射するともに表示部と操作部の境界部分より延長部から放射する光で操作部を照明することになる。
【００１１】
従って、一つの光源で導光板と操作部を照射することができ、消費電力を抑制することができるとともに製品の小型化やデザイン設計の自由度が図れる。しかも、表示部と操作部の境界部分に導光板より延長した延長部から放射する光で操作部を照明することになるので、操作部全体を効率よく照射することができる。
【００１２】
もしくは、本発明の機器の操作部の照明装置は、上記延長部の先端上面を覆って該延長部の側面より上記操作部方向のみに光を放出するようにしたことを特徴とするものである。
【００１３】
この構成によれば、光源より発せられた光は導光板を経て液晶パネルの背面を照射するともに延長部の側面から放射する光で操作部を照明することになる。
【００１４】
従って、一つの光源で導光板と操作部を照射することができ、消費電力を抑制することができるとともに製品の小型化やデザイン設計の自由度が図れる。しかも、延長部の先端上面を覆っているので、使用者が操作部の正面を見ながら操作をしても、延長部の先端上面より光が放射しないので、眩しく感じることがなく、光源の光を操作部の照明に効率良く使用することができる。
【００１５】
あるいは本発明の機器の操作部の照明装置は、表示部に設けた液晶パネルの前面に設けられるとともに一端に光源を配した導光板で照射し、操作部のキー操作に応じた内容を上記液晶パネルに表示する構成の機器に設けられるものであって、上記導光板の他端部を上記機器の各種キーを備えた操作部に延長して設け、該延長部より放出する光で上記操作部を照明するようにしたことを特徴とするものである。
【００１６】
この構成によれば、光源より発せられた光は導光板を経て液晶パネルの前面を照射するともに延長部より操作部を照明することになる。
【００１７】
従って、反射型液晶パネルにおいて、一つの光源で導光板と操作部を照射することができ、消費電力を抑制することができるとともに製品の小型化やデザイン設計の自由度が図れる。
【００１８】
さらに本発明の機器の操作部の照明装置は、上記延長部は上記表示部と操作部の境界に上記導光板を延長して設けられたものであることを特徴とするものである。
【００１９】
この構成によれば、光源より発せられた光は導光板を経て液晶パネルの前面を照射するともに表示部と操作部の境界部分より延長部から放射する光で操作部を証明することになる。
【００２０】
従って、一つの光源で導光板と操作部を照射することができ、消費電力を抑制することができるとともに製品の小型化やデザイン設計の自由度が図れる。しかも、表示部と操作部の境界部分に導光板より延長した延長部から放射する光で操作部を照明することになるので、操作部全体を効率よく照射することができる。
【００２１】
さらに本発明の機器の操作部の照明装置は、上記延長部の先端上面を覆って該延長部の側面より上記操作部方向のみに光を放出するようしたことを特徴とするものである。
【００２２】
この構成によれば、光源より発せられた光は導光板を経て液晶パネルの前面を照射するともに延長部の側面から放射する光で操作部を照明することになる。
【００２３】
従って、一つの光源で導光板と操作部を照射することができ、消費電力を抑制することができるとともに製品の小型化やデザイン設計の自由度が図れる。しかも、延長部の先端上面を覆っているので、使用者が操作部の正面を見ながら操作をしても、延長部の先端上面より光が放射しないので、眩しく感じることがなく、光源の光を操作部の照明に効率よく使用することができる。
【００２４】
あるいは、本発明の機器の操作部の照明装置は、表示部に設けた液晶パネルを該詠唱パネルの背面に設けられるとともに一端に光源を配した導光板で照射し、上記表示部より低く形成された内部操作部と該内部操作部を開閉するように上記機器のキャビネットの上面に水平方向にスライド可能に設けられたスライド蓋にて形成された外部操作部から成る複式構造の操作部のキー操作に応じた内容を上記液晶パネルに表示する構成の機器に設けられるものであって、上記導光板の他端部を上記操作部に延長して設け、該延長部より放出する光で上記操作部を照明するようにしたことを特徴とするものである。
【００２５】
この構成によれば、光源より発せられた光は導光板を経て液晶パネルの背面を照射するともに延長部より操作部を照明することになる。
【００２６】
従って、一つの光源で導光板を照射することができ、消費電力を抑制することができるとともに製品の小型化やデザイン設計の自由が図れる。
【００２７】
【発明の実施の形態】
以下、本発明の実施形態を図に従って詳細に説明する。
【００２８】
＜第１の実施形態＞
図１及び図２は、本発明の第１の実施形態にかかる操作部の照明装置を備えた携帯用端末機を示す平面図及び側面断面図であり、図３は液晶ユニットの分解斜視図である。これらの図において、１及び２は上下のキャビネットであり、両者は下キャビネット２を上キャビネット１で蓋閉めするように接合されている。
【００２９】
上記上キャビネット１は、その上面を、大まかには、開口３ａを有する表示部３と操作部４に区画しており、そして、開口３ａの内面側には液晶パネル５を配設し、また操作部４にはカーソルキー６ａを含め各種ファンクションや数値を入力する複数のデータキー６と電源ＯＮキー７及びＯＦＦキー８を配設している。尚、これら各キーはそれぞれゴムで形成されている。
【００３０】
９は上記液晶パネル５の背面に配設された導光板であり、その一端側部に冷陰極管或いはＬＥＤ等で構成されるバックライト光源となる光源１０を配置している。
【００３１】
１１は、液晶パネル５、導光板９及び光源１０で構成される液晶ユニットを保持する液晶ホルダーであり、上記下キャビネット２内に設置されているメイン回路基板１２上に固定されている。
【００３２】
１３は上記光源１０より導出されたケーブルであり、コネクタ１４を介して上記メイン回路基板１２に接続されている。１５は上記液晶パネル５より導出されたフレキシブル回路基板であり、コネクタ１６を介して上記メイン回路基板１２に接続されている。
【００３３】
１７は、上記データキー６及び電源ＯＮ、ＯＦＦキー７、８の各キーとそれぞれ対峙するように上記メイン回路基板１２上に固着実装されたスイッチ接点であり、各スイッチ接点１７は対応するキーが操作されることにより動作して、メイン回路基板１２上に実装されたＣＰＵ（マイクロコンピュータ）の制御に基づいてＲＯＭ（読出専用メモリ）に記憶されている情報をもとに上記液晶パネル５に所定の画面表示を行う。特に、電源ＯＮキー７の操作に従って光源１０を発光させ、その光を導光板９を介して液晶パネル５の下面に導き照射する構成となっている。
【００３４】
以上のような構成において、本発明では、特に、従来では液晶パネル５の下面のみを覆うような形状や大きさにしていた上記導光板９について、図に示すように、操作部４側の一端にＬ字形の延長部９ａを一体に形成して設け、この延長部９ａの先端（上端）を上記上キャビネット１の上面において表示部３と操作部４との境界部分に表示部３の上面と略同一面で、しかも操作部４の上面より高くなるように延長させている。
【００３５】
従って、この導光板９の延長部９ａの先端部より上キャビネット１の上面に放出された光は操作部４を照らすこととなり、使用者が正面より操作部４を目視することができる。
【００３６】
＜第２の実施形態＞
上記第１の実施形態では、延長部９ａの先端を使用者が携帯用端末機の正面から目視することができるようにしていることから、場合によっては、光源１０の光が強いと使用者にとって眩しいことがある。
【００３７】
そこで本発明の第２の実施形態では、これを防止するために図４及び図５に示すように、上キャビネット１の表示部３の一部１ａを延長させて延長部９ａの先端上面を覆うことにより、延長部９ａの側部から操作部４の方向にのみ光を放出させ、延長部９ａの先端より携帯用端末機の正面に向かって光を放出するのを防止する構成としている。
【００３８】
＜第３の実施形態＞
図６及び図７は本発明の第３の実施形態の操作部としてのキーボードの照明装置を備えた携帯用端末機の平面図及び側面断面図を示している。
【００３９】
これらの図に示すように、この実施形態では、液晶ユニットが反射型であることから上記第１の実施形態の透過型の液晶ユニットとは異なり、導光板９を液晶パネル５の前面に配置し、当該液晶パネル５の側部に光源１０を配置している。
【００４０】
また、この実施形態では、操作部４に上記電源ＯＮ、ＯＦＦキー７、８とは別に光源１０専用のＯＮ及びＯＦＦキー１８、１９を設け、上記光源１０を電源ＯＮキー７のＯＮと同時に発光させるのではなく、使用者の任意により光源１０を点灯できるようにしている。
【００４１】
従って、本実施形態では、液晶ユニットが反射型であるため、携帯用端末機を使用する場所が明るいところでは、光源１０を点灯することなく、自然光、電灯光等の環境光を液晶パネル５の背面の反射板で反射して表示を行い、暗い場所ではＯＮキー１８を操作してフロントの光源１０を点灯させてその光を導光板９で液晶パネル５の前面に当て、そして、液晶パネル５の背面の反射板で反射させて表示を行う。勿論、携帯用端末機を明るい場所に移動したときには、ＯＦＦキー１９を操作して光源１０を消灯して使用することになる。
【００４２】
本実施形態では、上記第１の実施形態と同様に、上記導光板９の操作部４側の一端にＬ字形の延長部９ａを一体に形成して設け、この延長部９ａの先端（上端）を上記上キャビネット１の上面において表示部３と操作部４との境界部分に表示部３の上面と略同一面で、しかも操作部４の上面より高くなるように延長させている。
【００４３】
従って、この導光板９の延長部９ａの先端部より上キャビネット１の上面に放出された光は操作部４を照らすこととなり、使用者が正面より操作部４を目視することができる。
【００４４】
＜第４の実施形態＞
上記第３の実施形態では、第１の実施形態と同様に、延長部９ａの先端を使用者が携帯用端末機の正面から目視することができるようにしていることから、場合によっては、光源１０の光が強いことから使用者にとって眩しいことがある。
【００４５】
そこで本発明の第４の実施形態では、第３の実施形態の問題点を解消するために図８及び図９に示すように、上キャビネット１の表示部３の一部１ａを延長させて延長部９ａの先端上面を覆うことにより、延長部９ａの側部から操作部４の方向にのみ光を放出させ、延長部９ａの先端より携帯用端末機の正面に向かって光を放出するのを防止する構成としている。
【００４６】
＜第５の実施形態＞
この実施形態では、電源キー、カーソルキー、ファンクションキー等の使用頻度の高いキーをスライド機構を有する別のキャビネットにまとめ、下部にアルファベットキーを配置するタイプの携帯用端末機を対象に本発明のキーボードの照明装置を適用している。
【００４７】
図１０、図１１及び図１４は、この第５の実施形態を示す図であり、上キャビネット１の操作部が複式構造になっている。
【００４８】
即ち、操作部４を内部操作部４ａと外部操作部４ｂの複式構造に形成しており、そして前者の内部操作部４ａは、上キャビネット１の上面において表示部３より低く形成され、その上面にメイン回路基板１２のスイッチ接点１７，・・・に対峙している数字やアルファベットキー６を設けている。
【００４９】
また、後者の外部操作部４ｂは、上記内部操作部４ａを開閉するように上キャビネット１の上面に水平方向にスライド可能に設けられたスライド蓋４ｃに電源ＯＮキー７、電源ＯＦＦキー８、カーソルキー６ａ等を備えた構成となっている。
【００５０】
この図において、２０はスライド蓋４ｃの内面に固着されたサブ回路基板であり、弾力性を有する接続片２１と弾力的に摺設し該接続片２１を介して上記メイン回路基板１２と機械的かつ電気的に接続されている。そして、このサブ回路基板２０の上面にはスイッチ接点２２が配設されており、該スイッチ接点２２に上記スライド蓋４ｃに設けられている電源ＯＮキー７、電源ＯＦＦキー８、カーソルキー６ａが対峙して各キーの操作に応じて各スイッチ接点がＯＮ、ＯＦＦするようになっている。
【００５１】
このように本実施形態の概略は形成されるが、本実施形態においても、導光板９の操作部４側の一端にＬ字形の延長部９ａが一体に形成して設けられており、そして、この延長部９ａの先端（上端）を上記上キャビネット１の表示部３と操作部４との境界部分において、表示部３及びスライド蓋４ｃの上面と略同一面になるように延長させている。
【００５２】
従って、この導光板９の延長部９ａの先端部より上キャビネット１の上面に放出された光はスライド蓋４ｃを開成した場合においては、図１０及び図１１に示すように、内部操作部４ａを照らすこととなり、使用者が正面より内部操作部４ａを目視することができる。
【００５３】
また、スライド蓋４ｃを閉じた場合には、図１２及び図１３に示すように、延長部９ａの先端より放出した光がスライド蓋４ｃの上面を照らし、使用者の目視を容易にすることになる。
【００５４】
ここで上記スライド蓋４ｃのスライド機構について説明すると、図１５及び図１６に示すように、スライド蓋４ｃは、その両側面に支持アーム４ｄ、４ｄを備え、この支持アーム４ｄ、４ｄを上記上キャビネット１と下キャビネット２の両側面に設けたガイド溝２３、２３に嵌合することで、スライド蓋４ｃを上記内部操作部４ａを開閉できるように構成されている。
【００５５】
また、上記スライド蓋４ｃは、図１７及び図１８に示すように内面にスイッチ作動子２４を備えており、スライド蓋４ｃが開閉することによって上記メイン回路基板１２上に設置された電源スイッチ２５をＯＮ、ＯＦＦする構成となっている。
【００５６】
即ち、スライド蓋４ｃが内部操作部４ａを閉じているときには、スイッチ作動子２４がスイッチノブ２５ａから離脱していることから電源スイッチ２５のスイッチノブ２５ａは図１７の位置にあって携帯用端末機の電源をＯＦＦ状態にしており、そして、スライド蓋４ｃが内部操作部４ａを開いたときには、スイッチ作動子２４がスイッチノブ２５ａを押してその位置を図１８に示す位置に変位させて電源スイッチ２５をＯＮ状態とし、携帯用端末機の電源をＯＮ状態にするとともに光源１０を点灯させる。
【００５７】
＜第６の実施形態＞
この実施形態は、上記第５の実施形態のものでは、上記第１の実施形態と同様に延長部９ａの先端を使用者が携帯用端末機の正面から目視することができるようにしているので、光源１０の光が強いと使用者にとっては眩しいことがあるので、この問題点を解決するために発明されたものである。即ち、上記第２の実施形態と同様に、図１９及び図２０に示すように、上キャビネット１の表示部の３の一部１ａを延長させて延長部９ａの先端上面を覆うことにより、延長部９ａの側部から操作部４の方向のみ光を放出させ、延長部９ａの先端より携帯用端末機の正面に向かって光を放出するのを防止する構成としている。
【００５８】
【発明の効果】
以上説明したように本発明の機器の操作部の照明装置によると、光源より発せられた光は導光板を経て液晶パネルの背面を照射するともに延長部より操作部を照明することになる。
【００５９】
従って、一つの光源で導光板と操作部を照射することができ、消費電力を抑制することができるとともに製品の小型化やデザイン設計の自由が図れる。
【００６０】
さらに本発明によれば、光源より発せられた光は導光板を経て液晶パネルの背面を照射するともに表示部と操作部の境界部分より延長部から放射する光で操作部を照明することになる。
【００６１】
従って、一つの光源で導光板と操作部を照射することができ、消費電力を抑制することができるとともに製品の光が高やデザイン設計の自由度が図れる。しかも、表示部と操作部の境界部分に導光板より延長した延長部から放射する光で操作部を照明することになるので、操作部全体を効率よく照射することができる。
【００６２】
もしくは本発明によれば、光源より発せられた光は導光板を経て液晶パネルの背面を照射するともに延長部の側面から放射する光で操作部を照明することになる。
【００６３】
従って、一つの光源で導光板と操作部を照射することができ、消費電力を抑制することができるとともに製品の小型化やデザイン設計の自由度が図れる。しかも、延長部の先端上面を覆っているので、使用者が操作部の正面を見ながら操作をしても、延長部の先端上面より光が放射しないので、眩しく感じることがなく、光源の光を操作部の照明に効率よく使用することができる。
【００６４】
あるいは、本発明の機器の操作部の照明装置によれば、光源より発せられた光は導光板を経て液晶パネルの前面を照射するともに延長部より操作部を照明することになる。
【００６５】
従って、反射型液晶パネルにおいて、一つの光源江導交番と操作部を照射することができ、消費電力を抑制することができるとともに製品の小型化やデザイン設計の自由度が図れる。
【００６６】
さらに本発明によれば、光源より発せられた光は導光板を経て液晶パネルの前面を照射するともに表示部と操作部の境界部分より延長部から放射する光で操作部を照明することになる。
【００６７】
従って、一つの光源で導光板と操作部を照射することができ、消費電力を抑制することができるとともに製品の小型化やデザイン設計の自由度が図れる。しかも、表示部と操作部の境界部分に導光板より延長した延長部から放射する光で操作部を照明することになるので、操作部全体を効率よく照射することができる。
【００６８】
さらに本発明によれば、光源より発せられた光は導光板を経て液晶パネルの前面を照射するともに延長部の側面から放射する光で操作部を照明することになる。
【００６９】
従って、一つの光源で導光板と操作部を照射することができ、消費電力を抑制することができるとともに製品の小型化やデザイン設計の自由度が図れる。しかも、延長部の先端上面を覆っているので、使用者が操作部の正面を見ながら操作をしても、延長部の先端上面より光が放射しないので、眩しく感じることがなく、光源の光を操作部の照明に効率よく使用することができる。
【００７０】
あるいは本発明によれば、光源より発せられた光は導光板を経て液晶パネルの背面を照射するともに延長部より操作部を照明することになる。
【００７１】
従って、一つの光源で導光板と操作部を照射することができ、消費電力を抑制することができるとともに製品の小型化やデザイン設計の自由が図れる。
【図面の簡単な説明】
【図１】  本発明に係る機器の操作部の照明装置の第１の実施形態を備えた携帯用端末機の平面図である。
【図２】  同上携帯用端末機の側面断面図である。
【図３】  同上携帯用端末機における液晶ユニットの分解概略斜視図である。
【図４】  本発明に係る機器の操作部の照明装置の第２の実施形態を備えた携帯用端末機の平面図である。
【図５】  同上第２の実施形態の機器の操作部の照明装置を備えた携帯用端末機の側面断面図である。
【図６】  本発明に係る機器の操作部の照明装置の第３の実施形態を備えた携帯用端末機の平面図である。
【図７】  同上第３の実施形態の機器の操作部の照明装置を備えた携帯用端末機の側面断面図である。
【図８】  本発明に係る機器の操作部の照明装置の第４の実施形態を備えた携帯用端末機の平面図である。
【図９】  同上第４の実施形態の機器の操作部の照明装置を備えた携帯用端末機の側面断面図である。
【図１０】  本発明に係る機器の操作部の照明装置の第５の実施形態を備えた携帯用端末機のスライド蓋を開いた状態を示す平面図である。
【図１１】  同上第５の実施形態の機器の操作部の照明装置を備えた携帯用端末機のスライド蓋を開いた状態の側面断面図である。
【図１２】  同上第５の実施形態の機器の操作部の照明装置を備えた携帯用端末機のスライド蓋を閉じた状態を示す平面図である。
【図１３】  同上第５の実施形態の機器の操作部の照明装置を備えた携帯用端末機のスライド蓋を閉じた状態の側面断面図である。
【図１４】  同上第５の実施形態の機器の操作部の照明装置を備えた携帯用端末機における液晶ユニットの分解概略斜視図である。
【図１５】  同上第５の実施形態の機器の操作部の照明装置を備えた携帯用端末機におけるスライド蓋のスライド機構を説明するために供された携帯用端末機の要部概略斜視図である。
【図１６】  同上スライド機構を説明するためにスライド蓋を開いた状態で操作部を正面より切断して見た携帯用端末機の正面断面図である。
【図１７】  同上第５の実施形態の機器の操作部の照明装置を備えた携帯用端末機におけるスライド蓋を閉じた状態のスライド蓋とスイッチノブとの関係を説明する要部側面断面図である。
【図１８】  同上携帯用端末機におけるスライド蓋を開いた状態のスライド蓋とスイッチノブとの関係を説明する要部側面断面図である。
【図１９】  本発明に係る機器の操作部の照明装置の第６の実施形態を備えた携帯用端末機の平面図である。
【図２０】  同上第６の実施形態の機器の操作部の照明装置を備えた携帯用端末機の側面断面図である。
【符号の説明】
１    上キャビネット
２    下キャビネット
３    表示部
４    操作部
４ａ  内部操作部
４ｂ  外部操作部
５    液晶パネル
６    データキー
７    電源ＯＮキー
８    ＯＦＦキー
９    導光板
９ａ  延長部
１０  光源
【図１】
0004067304.tif 000002
【図２】
0004067304.tif 000003
【図３】
0004067304.tif 000004
【図４】
0004067304.tif 000005
【図５】
0004067304.tif 000006
【図６】
0004067304.tif 000007
【図７】
0004067304.tif 000008
【図８】
0004067304.tif 000009
【図９】
0004067304.tif 000010
【図１０】
0004067304.tif 000011
【図１１】
0004067304.tif 000012
【図１２】
0004067304.tif 000013
【図１３】
0004067304.tif 000014
【図１４】
0004067304.tif 000015
【図１５】
0004067304.tif 000016
【図１６】
0004067304.tif 000017
【図１７】
0004067304.tif 000018
【図１８】
0004067304.tif 000019
【図１９】
0004067304.tif 000020
【図２０】
0004067304.tif 000021